(57)【特許請求の範囲】
【請求項１】
鍵を使用しないで施錠解錠ができる仮施錠機能と鍵を使用しなければ解錠できない本施錠機能を組合せた錠前構造であり、
鉤型部を操作部の背面空間部内上部に収納配置し、その操作部を錠前本体の挿入凹部内に収納配置して、
鉤型部の下端を錠前本体に所定角度揺動可能に軸支すると共に所定角度の揺動を境に負荷の方向が切り替わるようバネで付勢して、かつ鉤型部の中央を操作部に所定角度揺動可能に軸支すると共に操作部のほぼ中央を錠前本体に所定角度揺動可能に軸支することにより、
操作部の揺動で鉤形部が起倒し、鉤形部の先端に形成した鉤片が錠前本体の背面から出没し、
錠前本体の上部に配置したシリンダー錠で前記操作部の揺動を阻止あるいは容認することを特徴とする錠前装置。
【請求項２】
操作部は、錠前本体の前面に対して施錠操作部の前面をほぼ平面にすると解錠操作部が突出し、逆に解錠操作部の前面をほぼ平面にすると施錠操作部が突出するよう施錠操作部と解錠操作部を形成したことを特徴とする請求項１記載の錠前装置。
【請求項３】
解錠時に錠前本体の前面に対して突出する施錠操作部の側面に施錠されていないことを示す警告表示を設けたことを特徴とする請求項１または２記載の錠前構造。
【発明の詳細な説明】
【０００１】
【発明の属する技術分野】
この発明は、引戸の錠前構造に関するものであり、特に鍵を使用しないで施錠解錠ができる仮施錠機能と鍵を使用しなければ解錠できない本施錠機能を組合せた錠前構造である。
【０００２】
【従来の技術】
従来、建物や物置の引戸の錠前としては、鍵を使用して施錠したり解錠したりするのが一般的であった。しかし物置などは夜間は鍵を掛けておくが、昼間は物を出し入れするたびに鍵をあけたり掛けたりするのが面倒で鍵を掛けずにいることが多く、そのため引戸を閉じた反動で僅かに開いたり、物や人が引戸に接触して開いたり、子供の悪戯や強風で開くというような問題があった。
【０００３】
【発明が解決しようとする課題】
そこで本発明は、上記問題を解決するために、鍵を使用しないで施錠解錠ができる仮施錠機能と鍵を使用しなければ解錠できない本施錠機能を組合せた錠前構造を提供することを目的とする。
【０００４】
【課題を解決するための手段】
前記課題を解決するため、請求項１の発明は、鉤型部を操作部の背面空間部内上部に収納配置し、その操作部を錠前本体の挿入凹部内に収納配置して、鉤型部の下端を錠前本体に所定角度揺動可能に軸支すると共に所定角度の揺動を境に負荷の方向が切り替わるようバネで付勢して、かつ鉤型部の中央を操作部に所定角度揺動可能に軸支すると共に操作部の中央を錠前本体に所定角度揺動可能に軸支する構造とした。
そうすることにより、操作部の揺動で鉤形部が起倒し、鉤形部の先端に形成した鉤片が錠前本体の背面から出没して、仮施錠または解錠状態となる。また錠前本体の上部に配置したシリンダー錠で前記操作部の揺動を阻止して本施錠の状態とする。
【０００５】
また請求項２の発明は、操作部に形成した施錠操作部と解錠操作部が、施錠時には錠前本体の前面と施錠操作部の前面がほぼ平面になると共に解錠操作部が突出し、解錠時には錠前本体の前面と解錠操作部の前面がほぼ平面になると共に施錠操作部が突出するように形成したので、施錠、解錠の操作は突出している操作部を錠前本体とほぼ平面になるように押し込むだけで簡単に出来る。
また請求項３の発明は、解錠時に錠前本体に対して突出する施錠操作部の側面に施錠されていないことを示す警告表示を設けたので、施錠忘れを防止できる。
【０００６】
【発明の実施の形態】
本発明の実施の形態を図面を参照して説明する。
図１は、引戸Ｄ１と重なり合った部分の引戸Ｄ２に設けた錠前Ａの斜視図であり、錠前Ａは前面の引戸Ｄ２に嵌め込んだ錠前本体１と、その錠前本体１に揺動自在に軸支した操作部２と、その操作部内に配置した鉤型部３と、錠前本体１の上部で鍵を差し込んで回すシリンダー錠Ｓで構成されている。操作部２は上部約２／３が施錠操作部２１で下部約１／３が解錠操作部となっている。この図の錠前Ａは解錠状態である。
【０００７】
図２は、引戸Ｄ２から錠前Ａを取外した状態を示した斜視図であり、錠前Ａは操作部２およびシリンダー錠Ｓを組み込んだ錠前本体１を前面の引戸Ｄ２に形成した長円孔ｈ２に嵌め込み、引戸Ｄ２の内側から当材４を被せて錠前本体１と当材４で引戸Ｄ２を挟んだ状態で止めねじ５で固定する。引戸Ｄ１には錠前の鉤型部３に対応する位置に角孔ｈ１が形成されている。
【０００８】
図３は、錠前Ａを分解して示した分解斜視図である。錠前Ａは大きく分けて錠前本体１と操作部２と鉤型部３と当材４とシリンダー錠Ｓで構成されている。シリンダー錠Ｓは、鍵を差し込んで回すことにより一緒に回転する施錠金具Ｓ１を後端部に配置し、その施錠金具Ｓ１は一方向に突出した突出片Ｓ２を有する。
錠前本体１は、前記シリンダー錠Ｓを上部に配置しその下に縦長の挿入凹部１ａを形成し前面周縁にはフランジ部１ｊを形成している。前記挿入凹部１ａは上面から背面にわたる開口部１ｃを形成し凹部内に板バネ支持部１ｇを設け背面にねじ孔１ｄを設け左右側壁１ｆの上下位置に軸孔１ｈと１ｉを形成している。
【０００９】
操作部２は、前記本体１の挿入凹部１ａ内に嵌り込む形状であり背面には鉤型部３を配置するための空間部が形成されている。また操作部２は側面視が逆く字形であり上部２／３が垂直に形成された施錠操作部２１でそれに対して下部１／３が傾斜して形成された解錠操作部２２となっている。上壁２ｋは後端に掛止片２ｌを形成し、左右側壁２ｂは解錠操作部２２の背面に斜辺部２ｃを形成すると共に上下位置に軸孔２ｅ、２ｊを設け、軸孔２ｅの下方部で左右側壁２ｂの後端から中央位置まで溝２ｄを形成している。錠前本体１の軸孔１ｉから前記軸孔２ｊに軸Ｐ３を挿入して錠前本体１の挿入凹部１ａ内に操作部２を揺動自在に軸支する。また施錠操作部２１の左右側壁２ｂおよび上壁２ｋを目立つ色の塗料あるいは蛍光塗料また夜行塗料等で着色して後述する解錠状態であることを知らせる警告表示とする。
【００１０】
鉤型部３は断面略く字形で中間部および下端部に軸孔３ｄと３ａを設け先端部に鉤片３ｃが形成され、その鉤型部３を前記操作部２の背面空間部内に配置して軸孔２ｅから軸孔３ｄに軸Ｐ１を挿入し軸Ｐ１を中心に操作部２内で揺動自在に軸支し、軸孔３ａに挿入した軸Ｐ２の両端を溝２ｄ内でスライド可能にすると共にさらに錠前本体１の軸孔１ｈに挿入する。
【００１１】
鉤型部３の下端部に設けた板バネ支持部３ｂと錠前本体１の挿入凹部１ａ内に設けた板バネ支持部１ｇ間に湾曲した板バネＢを取り付けて鉤型部３と操作部２の揺動を制御する。
当材４は、前記錠前本体１の後部およびシリンダー錠Ｓが収まる形状で、前面周縁にフランジ部４ａが形成され、背面には鉤型部３の鉤片３ｃが出没するための角孔４ｃとシリンダー錠Ｓの施錠金具Ｓ１を取付けるための開孔４ｂと止めねじ５の挿通孔４ｄが形成されている。
【００１２】
図４は、引戸Ｄ１、Ｄ２を錠前Ａで仮施錠の状態としたことを示す縦断面図である。錠前Ａは、錠前本体１の上部にシリンダー錠Ｓが配置され、軸Ｐ３で軸支された操作部２は施錠操作部２１が錠前本体１内に収まり解錠操作部２２の一部が錠前本体１の前面から突出した状態であり、引戸Ｄ２の板材をフランジ部１ｊと４ａで挟んで止めねじ５で固定している。鉤型部３は倒れて鉤片３ｃが錠前本体１の開口部１ｃおよび当材４の角孔４ｃから突き出て引戸Ｄ１の角孔ｈ１にその先端を引掛けているので引戸Ｄ１、Ｄ２は開閉が不可となる。このとき板バネＢは鉤型部３を軸Ｐ２に対して図面上時計回り方向に助勢して仮施錠状態が外れることを防止している。
【００１３】
図５は、錠前Ａの解錠した状態を示す縦断面図である。図４の状態から突出している操作部２の解錠操作部２２を押すことにより操作部２は錠前本体１内で軸Ｐ３を中心として図面上反時計回りに回転し斜辺部２ｃが本体の背面壁に接し反対に施錠操作部２１が錠前本体１から突出した状態となる。ここで鉤型部３は軸Ｐ２で本体１に軸支され軸Ｐ１で操作部２に軸支されているので操作部２の回転により軸Ｐ２を中心として図面上反時計回りに回転して起き上がり開口部１ｃ、角孔４ｃ、角穴ｈ１から外れた状態となるので、引戸Ｄ１、Ｄ２は開閉が可能となる。
【００１４】
なお「０００９」で述べたように警告表示として施錠操作部２１の周壁を目立つ色で着色しているので錠前本体１から露出した部分がはっきりと見え施錠されていない状態であることが確認できる。また錠前本体１から突き出した施錠操作部２１を引戸開閉のための手掛け部として利用することもできる。
このとき板バネＢは鉤型部３を軸Ｐ２に対して反時計回り方向に助勢して図４の仮施錠の状態に戻ることを防止しているが、施錠操作部２１を押すことで簡単に仮施錠の状態にできる。またこの板バネＢの替わりに引っ張りバネを用いて鉤型部３を軸Ｐ２を中心として図４の場合は時計回りに引っ張り図５の場合は反時計回りに引っ張る構造としても良い。
【００１５】
図６は、錠前Ａの本施錠の状態を示す縦断面図である。図４の仮施錠の状態においてシリンダー錠Ｓに鍵Ｋを差し込んで回すことによりシリンダー錠Ｓの後端の施錠金具Ｓ１が回り横を向いていた突出片Ｓ２が下向きになるので、解錠操作部２２を押しても操作部２の上端の掛止片２ｌが前記突出片Ｓ２に当って操作部２は回転できず、鉤型部３は解錠されない。
【００１６】
図７は、引戸Ｄ１、Ｄ２を有する組立物置Ｆに本発明の錠前Ａを取付けた状態を示す斜視図である。
【００１７】
【発明の効果】
揺動自在に軸支した操作部を押すことにより施錠解錠が出来るので、頻繁に引戸を開閉する時はいちいち鍵を使って施錠解錠をしなくても、閉じた反動で引戸が開いたり、物や人が引戸に接触して開いたり、子供の悪戯や強風で開いたりすることが防止できる。また夜間や長期使用しない時は鍵を使って確実に施錠することができるので安心である。
また、操作部に力を加えて鉤部材を所定の角度まで揺動させると後はバネの作用により自ら最終位置まで揺動するので、操作が不充分であっても仮施錠、解錠の途中で止まってしまうという不具合が生じない。
【００１８】
施錠する場合には突出している施錠操作部を錠前本体の前面とほぼ平面になるように押し、解錠する場合には突出している解錠操作部を錠前本体の前面とほぼ平面になるように押すので、例えば品物を持っていて両手がふさがっていても肘で押して施錠、解錠の操作をすることも可能であり、また突出した施錠操作部を手掛け部として引戸を開閉することもできる。
【００１９】
さらに操作部を押す操作が、錠前本体の前面より奥に押し込む操作であるならば指の爪が錠前本体の縁に引っ掛かり爪が割れる場合も考えられるが、本発明の錠前装置は操作部の突出している面を錠前本体の前面とほぼ平面になるところまで押すだけであるので、前述のような問題は発生しない。
【００２０】
また施錠操作部の周壁は目立つ色の塗料あるいは蛍光塗料または夜行塗料等で着色されており施錠時には見えないが解錠状態の時に錠前本体から露出している部分がはっきりと見えるので、施錠できていないことが確認でき施錠忘れの防止となる。
【図面の簡単な説明】
【図１】本発明の錠前を引戸に取付けた状態を示す斜視図
【図２】図１において引戸から錠前を取外した状態を示す斜視図
【図３】錠前の分解した状態を示す分解斜視図
【図４】仮施錠の状態を示す縦断面図
【図５】解錠の状態を示す縦断面図
【図６】本施錠の状態を示す縦断面図
【図７】錠前を取付けた組立物置の斜視図
【符号の説明】
Ａ…錠前
Ｓ…シリンダー錠
Ｄ１、Ｄ２…引戸
１…錠前本体
２…操作部
２１…施錠操作部
２２…解錠操作部
３…鉤型部
４…当材
【図１】
0003577050.tif 000002
【図２】
0003577050.tif 000003
【図３】
0003577050.tif 000004
【図４】
0003577050.tif 000005
【図５】
0003577050.tif 000006
【図６】
0003577050.tif 000007
【図７】
0003577050.tif 000008